(57)【要約】【課題】木造建築における接合部構造に関するものであり、具体的には、柱と柱、柱と梁、土台と柱等の接合部において、木材のめりこみや割裂するの防止した接合部構造と接手を提供し、木造の軸組でラーメン構造形式の軸組を簡単、且つ、容易に構築できるようにした木軸材の接手並びに同接手を用いた木軸材の接合方法を提供する。【解決手段】土台コラムと柱、柱と梁、並びに柱と柱の木口面をそれぞれ接合する際には柱用ソケットや梁用ソケットを用いソケット同士間、柱用ソケットと梁用ソケット間にジョイント部材を介在せしめ、該ソケットとジョイント部材の嵌合部をテーパー付き嵌合孔とテーパー形状の嵌合部にて接合する。そしてソケットの端部に設けられた縁部がジョイント部材に設けられた鍔部を介して接合し、木材面同士が接合面で接合しない。【選択図】図２
2007077638.tif 000002
【特許請求の範囲】
【請求項１】
木材の木口面同士の接合、木材の木口面と他の木材の四方面との接合、並びに木材の木口面と土台との接合面において、
前記木材の木口面にソケット埋め込み用孔を穿設し、また木材の四方面に横孔を穿設して木材同士の接合部を構成し、
該ソケット埋め込み用孔や横孔に柱用ソケット、梁用ソケット或いはクロスソケットを埋め込んで接着剤並びにドリフトピンにて固着して接手受け部を構成し、
該接手受け部となる柱用ソケット、梁用ソケットにはテーパー嵌合部付きジョイント部材、並びに前記クロスソケットのテーパー嵌合部を介して前記木材の木口面同士の接合、木材の木口面と他の木材の四方面との接合、並びに木材の木口面と土台との接合がなされ、
前記接手受け部となる柱用ソケット、梁用ソケット或いはクロスソケットの端部縁部にはそれぞれジョイント接合面を形成し、
該ジョイント接合面はジョイント接合面同士やテーパー嵌合部付きジョイント部材の鍔部が介在して木材同士が剛接合されるよう構成したこと、
を特徴とする木軸材の接手。
【請求項２】
木材の木口面同士の接合、木材の木口面と他の木材の四方面との接合、並びに木材の木口面と土台との接合面において、
前記木材の木口面にソケット埋め込み用孔を穿設し、また木材の四方面に横孔を穿設して木材同士の接合部を構成し、
該ソケット埋め込み用孔や横孔に柱用ソケット、梁用ソケット或いはクロスソケットを埋め込んで接着剤並びにドリフトピンにて固着して接手受け部を構成し、
該接手受け部となる柱用ソケット、梁用ソケットにはテーパー嵌合部付きジョイント部材、並びに前記クロスソケットのテーパー嵌合部を介して前記木材の木口面同士の接合、木材の木口面と他の木材の四方面との接合、並びに木材の木口面と土台との接合がなされ、
前記接手受け部となる柱用ソケット、梁用ソケット或いはクロスソケットの端部縁部にはそれぞれジョイント接合面を形成し、
該ジョイント接合面はジョイント接合面同士やテーパー嵌合部付きジョイント部材の鍔部が介在して木材同士が剛接合されるよう構成し、
前記木材同士の接合部や木材と土台との接合部における木材のめり込みを防止することを、
を特徴とする木軸材の接合方法。
【請求項３】
外径がテーパー形状を有した頭切円錐形の柱用ソケットは外部から直交する複数本のドリフトピンを貫通して挿着できる挿着孔をクロスして設けており、また一端部はテーパー嵌合部付きジョイント部材、並びにクロスソケットのテーパー嵌合部の嵌合孔と縁部にジョイント接合面を形成され、
該柱用ソケットと同様に外径がテーパー形状を有した頭切円錐形の梁用ソケットは外部から直交する複数本のドリフトピンを貫通して挿着できる挿着孔をクロスして設けており、また一端部はテーパー嵌合部付きジョイント部材のテーパー嵌合部の嵌合孔と縁部にジョイント接合面を形成され、
前記柱用ソケット並びに梁用ソケットは柱や梁の小口面において該柱や梁の木口面から長手方向に穿たれたテーパー形状の内径を有するソケット埋め込み用孔内に前記縁部のジョイント接合面を露出させた状態で埋め込まれて接着剤とドリフトピンにて固着され、
前記柱や梁の木口面をそれぞれ接合する際には柱用ソケットや梁ソケット間に前記テーパー嵌合部付きジョイント部材、並びにクロスソケットを介在せしめ前記柱と柱、梁と柱の接合がなされること、
を特徴とする木軸材の接手。
【請求項４】
土台に柱を立設するに際し土台を切欠して略同形状の土台コラムをアンカーボルトで基礎部に固設し、
該土台コラムにテーパー嵌合部付きジョイント部材を螺着固定してそのテーパー嵌合部を上部に突設し、
前記立設する柱の下部木口面にテーパー形状の内径を有するソケット埋め込み用孔を穿設して柱用ソケットを接着剤とドリフトピンにて固着し、
前記基礎部に固着され土台コラムに設けられたテーパー嵌合部付きジョイント部材のテーパー嵌合部に柱用ソケット挿着して接合し、
該ジョイント部材をドリフトピンにて柱用ソケットに固定してコラムと柱間が固着されること、
を特徴とする土台コラムと柱の接手からなる木軸材の接手。
【請求項５】
前記外径がテーパー形状を有した頭切円錐形の柱用ソケットを柱下部の木口面にテーパー内径形状を有したソケット埋め込み用孔を穿設して埋め込み、
該柱用ソケットを接着剤とドリフトピンにて柱の木口面内に固着し、
同様に接続する柱頭部は木口面から該柱の長手方向にテーパー内径形状を有したクロスソケット埋め込み孔を穿設して柱にクロスソケットを埋め込み、
該クロスソケットを接着剤とドリフトピンにて柱頭の木口面内に固着してクロスソケットのテーパー嵌合部を柱頭より突設して設け、
前記柱下部に固着された柱用ソケットと柱頭の木口面に突設されたクロスソケットのテーパー嵌合部を接合し、
該クロスソケットの先端部をドリフトピンにて柱下部の柱用ソケットに固定し柱と柱間が固着されること、
を特徴とする請求項１記載の柱と柱の接手からなる木軸材の接手。
【請求項６】
前記両端の外径がテーパー形状を有したクロスソケットを柱の木口面から長手方向にテーパー内径形状を有したソケット埋め込み用孔を穿設して埋め込み、
該クロスソケットを接着剤で柱頭の木口面内に固着し、
同様に接続する梁の木口面から該梁の長手方向にソケット埋め込み用孔を穿設して梁に梁用ソケットを埋め込んで接着剤とドリフトピンにて固着し、
前記柱頭の木口面に固着されたクロスソケットには直交するテーパー嵌合部付きジョイント部材の一端部の雄ネジ部が螺着され、
前記柱頭に直交する梁の木口面内に固着された梁用ソケットはテーパー嵌合部付きジョイント部材のテーパー嵌合部が嵌合されドリフトピンにて固定して梁と柱が固着されること、
を特徴とする請求項１記載の梁と柱の接手からなる木軸材の接手。
【請求項７】
前記柱下部木口面内、柱頭木口面内、並びに梁の木口面内に穿設される柱用ソケット、梁用ソケット、並びにクロスソケットのソケット埋め込み用孔は奥行きが小径で開口部側が大径となるテーパー形状の内径を有し、該ソケットの挿着時に用いられる接着剤は前記柱用ソケット、梁用ソケット、並びにクロスソケットを木口の開口部より挿着する際に木口の開口部側に溢れて戻り前記種々のソケット外周部とソケット埋め込み用孔間にムラなく充填されること、
を特徴とする請求項１乃至請求項６のいずれかに記載された木軸材の接手。
【請求項８】
前記柱下部木口面内、柱頭木口面内、並びに梁の木口面内に接着剤にて固着された柱用ソケット、梁用ソケットの木口側には奥行きが小径で開口部側が大径となるテーパー形状の内径を有したジョイント部材嵌合孔が穿設されており、該ジョイント部材嵌合孔にはテーパー嵌合部付きジョイント部材、並びに前記クロスソケットのテーパー嵌合部が嵌合して木材の木口面同士の接合、木材の木口面と他の木材の四方面との接合、並びに木材の木口面と土台コラムとの接合がおこなわれること、
を特徴とする請求項１乃至請求項７のいずれかに記載された木軸材の接手。
【請求項９】
前記基礎部に固着され土台コラムはスチールまたはステンレス・スチール等からなり該素材の肉厚のパイプを切断して構成され、該切断されたパイプの小口部より前記基礎部に植設されたアンカーボルトへの固着、並びに柱用ジョイント部材の螺着による固定が可能なこと、
を特徴とする請求項１または請求項２、並びに請求項４のいずれかに記載された土台と柱の接手からなる木軸材の接手。
【発明の詳細な説明】
【技術分野】
【０００１】
本発明は、木造建築物に使用される軸材料の接手、並びに同接手を用いた木軸材の接合方法に関するものである。
【背景技術】
【０００２】
従来、木造建築物に使用される木軸材の接合部は、めりこみや割裂が生じやすく、貫（ぬき）や差し鴨居、足固め、或いは筋違い、耐力壁を用いた方法等により補強しながら建物の軸組みを構築していた。
【０００３】
而して、特許文献１（特公平５−４００９９号公報）や特許文献２（特公平７−８１３２７号公報）においては、柱や梁の接合部に孔をあけて異形鉄筋を挿入し、次いで接着剤を充填して、該接着剤の硬化により剛接合するジョイント方法が提案され、前記筋違いや耐力壁を必要としない木質ラーメン構造の構築が可能となってきた。
【０００４】
然しながら、前記、異形鉄筋を接合部に介在せしめた接着工法は、建築現場に於いて、柱や梁の接合部に異形鉄筋を挿入して接着剤を充填し硬化させるもので、例えば、特許文献３（特開平７−６２８７８号公報）の如く、建築現場に於いては、木製柱部材と梁部材との鉄筋剛接合部養生を確実に行うための組立保持装置等が必要とされるように、施工効率の悪さや、施工品質のバラツキが出る欠点が懸念されている。
【０００５】
また、従来の異形鉄筋を接合部に介在せしめた接着工法は、剛接合によって高い耐力を得ることができるようになったが、該従来工法は、建築現場での施工による施工品質の悪さに加え、柱や梁等の接合部が、木材同士が接触して接合部を構成しており、木材の場合、方向によって強度の異方性があり、特に繊維に直角な方向の強度が弱いために該木材同士の接合部分に木材のめり込みが生じ接合部の破壊により構造全体が破壊に至る可能性がある。
【０００６】
更にまた、前記異形鉄筋を接合部に介在せしめた接着工法は、接合個所では二度と外せない接着による接合部の構成であり、増改築やリフォーム時に接合部を破壊して解体せざる得ないから、木材の再使用が不可能で経済的でなく、省資源的でない。
【特許文献１】特公平５−４００９９号公報
【特許文献２】特公平７−８１３２７号公報
【特許文献３】特開平７−６２８７８号公報
【発明の開示】
【発明が解決しようとする課題】
【０００７】
而して、本発明は、木造建築に於ける木軸材の接合部構造に関するものであり、具体的には、柱と柱、柱と梁、土台と柱等の接合部において、木材のめりこみや割裂するの防止した接合部構造と接手を提供し、木造の軸組でラーメン構造形式の軸組を容易に構築できるようにした木軸材の接手並びに同接手を用いた木軸材の接合方法を提供する。
【０００８】
また、本発明は、木軸材の接合部にそれぞれ工場にて柱用ソケットや梁用ソケット、或いはクロスソケットを埋め込み加工し、該ソケットを接着剤にて接着し場合によってはドリフトピンを打設して養生する。そして、十分に養生された木軸材は建築現場に搬入され、ジョイント部材を介して接合し、前記埋め込み加工されたソケットにドリフトピンを打設して接合、固着するもである。
従って本発明では、現場での施工効率が向上し、接着剤の充填、柱や梁の保持固定や養生等、建築現場で一番厄介な作業をなくし、施工品質のバラツキをなくすことができる木軸材の接手並びに同接手を用いた木軸材の接合方法を提供する。
【０００９】
また、本発明は柱用ソケットや梁用ソケット、或いはジョイント部材の形状、並びに土台金具を新規に開発して柱と柱、柱と梁、土台と柱等のそれぞれの接合作業を効率よく行えることのできる木軸材の接手並びに同接手を用いた木軸材の接合方法を提供する。
【００１０】
更にまた、従来の異形鉄筋を接合部に介在せしめた接着工法は、接合個所を破壊しなければ二度と外せない接合部構成であったが、本発明は、ソケット方式で簡単に取り外しできる。
従って、増改築やリフォーム時に接合部を破壊することなく解体でき、該解体された木軸材は再使用可能で、省資源化に役立つほか、仮設住宅、プレハブ住宅の建設にも役立つ木軸材の接手並びに同接手を用いた木軸材の接合方法を提供する。
【課題を解決するための手段】
【００１１】
本発明は、木材の木口面同士の接合、木材の木口面と他の木材の四方面との接合、並びに木材の木口面と土台との接合面において、前記木材の木口面にソケット埋め込み用孔を穿設し、また木材の四方面に横孔を穿設して木材同士の接合部を構成し、該ソケット埋め込み用孔や横孔に柱用ソケット、梁用ソケット或いはクロスソケットを埋め込んで接着剤並びにドリフトピンにて固着して接手受け部を構成し、該接手受け部となる柱用ソケット、梁用ソケットにはテーパー嵌合部付きジョイント部材、並びに前記クロスソケットのテーパー嵌合部を介して前記木材の木口面同士の接合、木材の木口面と他の木材の四方面との接合、並びに木材の木口面と土台との接合がなされ、前記接手受け部となる柱用ソケット、梁用ソケット或いはクロスソケットの端部縁部にはそれぞれジョイント接合面を形成し、該ジョイント接合面はジョイント接合面同士やテーパー嵌合部付きジョイント部材の鍔部が介在して木材同士が剛接合されるよう構成したことを要旨とする。
【００１２】
本発明は、木材の木口面同士の接合、木材の木口面と他の木材の四方面との接合、並びに木材の木口面と土台との接合面において、前記木材の木口面にソケット埋め込み用孔を穿設し、また木材の四方面に横孔を穿設して木材同士の接合部を構成し、該ソケット埋め込み用孔や横孔に柱用ソケット、梁用ソケット或いはクロスソケットを埋め込んで接着剤並びにドリフトピンにて固着して接手受け部を構成し、該接手受け部となる柱用ソケット、梁用ソケットにはテーパー嵌合部付きジョイント部材、並びに前記クロスソケットのテーパー嵌合部を介して前記木材の木口面同士の接合、木材の木口面と他の木材の四方面との接合、並びに木材の木口面と土台との接合がなされ、前記接手受け部となる柱用ソケット、梁用ソケット或いはクロスソケットの端部縁部にはそれぞれジョイント接合面を形成し、該ジョイント接合面はジョイント接合面同士やテーパー嵌合部付きジョイント部材の鍔部が介在して木材同士が剛接合されるよう構成し、前記木材同士の接合部や木材と土台との接合部における木材のめり込みを防止する木軸材の接合方法を要旨とする。
【００１３】
また、本発明において、外径がテーパー形状を有した頭切円錐形の柱用ソケットは、外部から直交する複数本のドリフトピンを貫通して挿着できる挿着孔をクロスして設けており、また一端部はテーパー嵌合部付きジョイント部材、並びにクロスソケットのテーパー嵌合部の嵌合孔と縁部にジョイント接合面を形成され、該柱用ソケットと同様に外径がテーパー形状を有した頭切円錐形の梁用ソケットは外部から直交する複数本のドリフトピンを貫通して挿着できる挿着孔をクロスして設けており、また一端部はテーパー嵌合部付きジョイント部材のテーパー嵌合部の嵌合孔と縁部にジョイント接合面を形成され、前記柱用ソケット並びに梁用ソケットは柱や梁の小口面において該柱や梁の木口面から長手方向に穿たれたテーパー形状の内径を有するソケット埋め込み用孔内に前記縁部のジョイント接合面を露出させた状態で埋め込まれて接着剤とドリフトピンにて固着され、
前記柱や梁の木口面をそれぞれ接合する際には柱用ソケットや梁ソケット間に前記テーパー嵌合部付きジョイント部材、並びにクロスソケットを介在せしめ前記柱と柱、梁と柱の接合がなされることを要旨とする。
【００１４】
また、本発明は、土台に柱を立設するに際し土台を切欠して略同形状の土台コラムをアンカーボルトで基礎部に固設し、該土台コラムにテーパー嵌合部付きジョイント部材を螺着固定してそのテーパー嵌合部を上部に突設し、前記立設する柱の下部木口面にテーパー形状の内径を有するソケット埋め込み用孔を穿設して柱用ソケットを接着剤とドリフトピンにて固着し、前記基礎部に固着され土台コラムに設けられたテーパー嵌合部付きジョイント部材のテーパー嵌合部に柱用ソケット挿着して接合し、該ジョイント部材をドリフトピンにて柱用ソケットに固定して土台コラムと柱間が固着されることを要旨とする。
【００１５】
また、本発明は、外径がテーパー形状を有した頭切円錐形の柱用ソケットを柱下部の木口面にテーパー内径形状を有したソケット埋め込み用孔を穿設して埋め込み、該柱用ソケットを接着剤とドリフトピンにて柱の木口面内に固着し、
同様に接続する柱頭部は木口面から該柱の長手方向にテーパー内径形状を有したクロスソケット埋め込み孔を穿設して柱にクロスソケットを埋め込み、該クロスソケットを接着剤とドリフトピンにて柱頭の木口面内に固着してクロスソケットのテーパー嵌合部を柱頭より突設して設け、前記柱下部に固着された柱用ソケットと柱頭の木口面に突設されたクロスソケットのテーパー嵌合部を接合し、該クロスソケットの先端部をドリフトピンにて柱下部の柱用ソケットに固定し柱と柱間が固着されることを要旨とする。
【００１６】
また、本発明は、両端の外径がテーパー形状を有したクロスソケットを柱の木口面から長手方向にテーパー内径形状を有したソケット埋め込み用孔を穿設して埋め込み、該クロスソケットを接着剤で柱頭の木口面内に固着し、同様に接続する梁の木口面から該梁の長手方向にソケット埋め込み用孔を穿設して梁に梁用ソケットを埋め込んで接着剤とドリフトピンにて固着し、前記柱頭の木口面に固着されたクロスソケットには直交するテーパー嵌合部付きジョイント部材の一端部の雄ネジ部が螺着され、前記柱頭に直交する梁の木口面内に固着された梁用ソケットはテーパー嵌合部付きジョイント部材のテーパー嵌合部が嵌合されドリフトピンにて固定して梁と柱が固着されることを要旨とする。
【００１７】
また、本発明は、柱下部木口面内、柱頭木口面内、並びに梁の木口面内に穿設される柱用ソケット、梁用ソケット、並びにクロスソケットのソケット埋め込み用孔は奥行きが小径で開口部側が大径となるテーパー形状の内径を有し、該ソケットの挿着時に用いられる接着剤は前記柱用ソケット、梁用ソケット、並びにクロスソケットを木口の開口部より挿着する際に木口の開口部側に溢れて戻り前記種々のソケット外周部とソケット埋め込み用孔間にムラなく充填されることを要旨とする。
【００１８】
また、本発明は、柱下部木口面内、柱頭木口面内、並びに梁の木口面内に接着剤にて固着された柱用ソケット、梁用ソケットの木口側には奥行きが小径で開口部側が大径となるテーパー形状の内径を有したジョイント部材嵌合孔が穿設されており、該ジョイント部材嵌合孔にはテーパー嵌合部付きジョイント部材、並びに前記クロスソケットのテーパー嵌合部が嵌合して木材の木口面同士の接合、木材の木口面と他の木材の四方面との接合、並びに木材の木口面と土台コラムとの接合がおこなわれることを要旨とする。
【００１９】
更にまた、本発明において、基礎部に固着され土台はスチールまたはステンレス・スチール等からなり該素材の肉厚のパイプを切断して構成され、該切断されたパイプの小口部より前記基礎部に植設されたアンカーボルトへの固着、並びに柱用ジョイント部材の螺着による固定が可能なことを要旨とする。
【発明の効果】
【００２０】
而して、本発明は、木造建築に於ける木材同士の接合部構造、即ち、柱と柱、柱と梁、土台と柱等の接合部において、木材のめりこみや割裂するの防止した接手と接合方法を提供でき、該接手、並びに接合方法は、木造の軸組でラーメン構造形式の軸組を容易に構築できるようにした木軸材の接手、並びに木軸材の接合方法を提供することができた。
【００２１】
また、本発明は、木軸材の接合部にそれぞれ工場にて柱用ソケット、梁用ソケット、或いはクロスソケットを埋め込み加工し、該それぞれのソケットを接着剤にて接着し、ソケットによってはドリフトピンを打設して養生する。そして、十分に養生された木軸材は建築現場に搬入され、ジョイン部材を介して、前記埋め込み加工されたそれぞれのソケットをドリフトピンにて接合、固着するもで、現場での施工効率が向上し、接着剤の充填、柱や梁の保持固定や養生等、建築現場で一番厄介な作業をなくし、施工品質のバラツキをなくすことができる木軸材の接手並びに同接手を用いた木軸材の接合方法を提供することができた。
【００２２】
また、本発明は、柱下部木口面内、柱頭木口面内に装着された柱用ソケットの木口側には奥行きが小径で開口部側が大径となるテーパー形状の内径を有したジョイント部材嵌合孔が穿設されており、該ジョイント部材嵌合孔にはジョイント部材のテーパー嵌合部、並びに前記クロスソケットのテーパー嵌合部が嵌合して柱の木口面同士の接合がおこなわれる構成であるために該テーパー孔とテーパー嵌合部間で、接合部の組立時に前記柱と柱の接合部にクサビを噛ますことにより接合される上部柱、例えば二階柱の頭が約１５度以内で自由に傾けることができ、２階の梁、即ち横架材を水平に保ち組立作業が容易になる。
【００２３】
また、本発明においては、土台に柱を立設するに際し土台を切欠して略同形状の土台コラムをアンカーボルトで基礎部に固設し、該土台コラムにテーパー嵌合部付きジョイント部材を螺着固定してそのテーパー嵌合部を上部に突設し、前記立設する柱の下部木口面にテーパー形状の内径を有するソケット埋め込み用孔を穿設して柱用ソケットを接着剤とドリフトピンにて固着し、前記基礎部に固着され土台コラムに設けられたテーパー嵌合部付きジョイント部材のテーパー嵌合部に柱用ソケット挿着して接合し、該ジョイント部材をドリフトピンにて柱用ソケットに固定して土台コラムと柱間が固着されることを要旨とし、該土台コラムに柱を立設するに際し、前記土台コラムにテーパー嵌合部付きジョイント部材を螺着固定するナットを緩めておけばジョイント部材により接合される柱は約１５度以内で自由に傾けることができ、一階の梁、即ち横架材を水平に保ち組立作業が容易になる。
【００２４】
また、柱用ソケットや梁用ソケットの木口側に穿設されたジョイント部材嵌合孔にジョイント部材やクロスソケットのテーパー嵌合部を挿着する際には、テーパー嵌合部の先端部が細くなったテーパー先端部を有するテーパー嵌合部が現場での嵌合作業を容易にして、組立作業を効率良くおこなえる。
【００２５】
更にまた、従来の異形鉄筋を接合部に介在せしめた接着工法は、接合個所を破壊しなければ二度と外せない接合部構成であったが、本発明は、ソケット方式で簡単に取り外しできる。従って、増改築やリフォーム時に接合部を破壊することなく解体でき、該解体された木軸材は再使用可能で、省資源化に役立つほか、仮設住宅、プレハブ住宅の建設にも役立つ木軸材の接手並びに同接手を用いた木軸材の接合方法を提供することができた。
【発明を実施するための最良の形態】
【００２６】
本発明は、木材の木口面同士の接合、木材の木口面と他の木材の四方面との接合、並びに木材の木口面と土台との接合面において、前記木材の木口面にソケット埋め込み用孔を穿設し、また木材の四方面に横孔を穿設して木材同士の接合部を構成し、該ソケット埋め込み用孔や横孔に柱用ソケット、梁用ソケット或いはクロスソケットを埋め込んで接着剤並びにドリフトピンにて固着して接手受け部を構成し、該接手受け部となる柱用ソケット、梁用ソケットにはテーパー嵌合部付きジョイント部材、並びに前記クロスソケットのテーパー嵌合部を介して前記木材の木口面同士の接合、木材の木口面と他の木材の四方面との接合、並びに木材の木口面と土台との接合がなされ、前記接手受け部となる柱用ソケット、梁用ソケット或いはクロスソケットの端部縁部にはそれぞれジョイント接合面を形成し、該ジョイント接合面はジョイント接合面同士やテーパー嵌合部付きジョイント部材の鍔部が介在して木材同士が剛接合されるよう構成することが好ましい。
【００２７】
本発明は、木材の木口面同士の接合、木材の木口面と他の木材の四方面との接合、並びに木材の木口面と土台との接合面において、前記木材の木口面にソケット埋め込み用孔を穿設し、また木材の四方面に横孔を穿設して木材同士の接合部を構成し、該ソケット埋め込み用孔や横孔に柱用ソケット、梁用ソケット或いはクロスソケットを埋め込んで接着剤並びにドリフトピンにて固着して接手受け部を構成し、該接手受け部となる柱用ソケット、梁用ソケットにはテーパー嵌合部付きジョイント部材、並びに前記クロスソケットのテーパー嵌合部を介して前記木材の木口面同士の接合、木材の木口面と他の木材の四方面との接合、並びに木材の木口面と土台との接合がなされ、前記接手受け部となる柱用ソケット、梁用ソケット或いはクロスソケットの端部縁部にはそれぞれジョイント接合面を形成し、該ジョイント接合面はジョイント接合面同士やテーパー嵌合部付きジョイント部材の鍔部が介在して木材同士が剛接合されるよう構成し、前記木材同士の接合部や木材と土台との接合部における木材のめり込みを防止する木軸材の接合方法であることが好ましい。
【００２８】
また、本発明において、外径がテーパー形状を有した頭切円錐形の柱用ソケットは、外部から直交する複数本のドリフトピンを貫通して挿着できる挿着孔をクロスして設けており、また一端部はテーパー嵌合部付きジョイント部材、並びにクロスソケットのテーパー嵌合部の嵌合孔と縁部にジョイント接合面を形成され、該柱用ソケットと同様に外径がテーパー形状を有した頭切円錐形の梁用ソケットは外部から直交する複数本のドリフトピンを貫通して挿着できる挿着孔をクロスして設けており、また一端部はテーパー嵌合部付きジョイント部材のテーパー嵌合部の嵌合孔と縁部にジョイント接合面を形成され、前記柱用ソケット並びに梁用ソケットは柱や梁の小口面において該柱や梁の木口面から長手方向に穿たれたテーパー形状の内径を有するソケット埋め込み用孔内に前記縁部のジョイント接合面を露出させた状態で埋め込まれて接着剤とドリフトピンにて固着され、
前記柱や梁の木口面をそれぞれ接合する際には柱用ソケットや梁ソケット間に前記テーパー嵌合部付きジョイント部材、並びにクロスソケットを介在せしめ前記柱と柱、梁と柱の接合がなされることが好ましい。
【００２９】
また、本発明は、土台に柱を立設するに際し土台を切欠して略同形状の土台コラムをアンカーボルトで基礎部に固設し、該土台コラムにテーパー嵌合部付きジョイント部材を螺着固定してそのテーパー嵌合部を上部に突設し、前記立設する柱の下部木口面にテーパー形状の内径を有するソケット埋め込み用孔を穿設して柱用ソケットを接着剤とドリフトピンにて固着し、前記基礎部に固着され土台コラムに設けられたテーパー嵌合部付きジョイント部材のテーパー嵌合部に柱用ソケット挿着して接合し、該ジョイント部材をドリフトピンにて柱用ソケットに固定してコラムと柱間が固着されることが好ましい。
【００３０】
また、本発明は、外径がテーパー形状を有した頭切円錐形の柱用ソケットを柱下部の木口面にテーパー内径形状を有したソケット埋め込み用孔を穿設して埋め込み、該柱用ソケットを接着剤とドリフトピンにて柱の木口面内に固着し、
同様に接続する柱頭部は木口面から該柱の長手方向にテーパー内径形状を有したクロスソケット埋め込み孔を穿設して柱にクロスソケットを埋め込み、該クロスソケットを接着剤とドリフトピンにて柱頭の木口面内に固着してクロスソケットのテーパー嵌合部を柱頭より突設して設け、前記柱下部に固着された柱用ソケットと柱頭の木口面に突設されたクロスソケットのテーパー嵌合部を接合し、
該クロスソケットの先端部をドリフトピンにて柱下部の柱用ソケットに固定し柱と柱間が固着されることが好ましい。
【００３１】
また、本発明は、両端の外径がテーパー形状を有したクロスソケットを柱の木口面から長手方向にテーパー内径形状を有したソケット埋め込み用孔を穿設して埋め込み、該クロスソケットを接着剤で柱頭の木口面内に固着し、同様に接続する梁の木口面から該梁の長手方向にソケット埋め込み用孔を穿設して梁に梁用ソケットを埋め込んで接着剤とドリフトピンにて固着し、前記柱頭の木口面に固着されたクロスソケットには直交するテーパー嵌合部付きジョイント部材の一端部の雄ネジ部が螺着され、前記柱頭に直交する梁の木口面内に固着された梁用ソケットはテーパー嵌合部付きジョイント部材のテーパー嵌合部が嵌合されドリフトピンにて固定して梁と柱が固着されることが好ましい。
【００３２】
また、本発明は、柱下部木口面内、柱頭木口面内、並びに梁の木口面内に穿設される柱用ソケット、梁用ソケット、並びにクロスソケットのソケット埋め込み用孔は奥行きが小径で開口部側が大径となるテーパー形状の内径を有し、該ソケットの挿着時に用いられる接着剤は前記柱用ソケット、梁用ソケット、並びにクロスソケットを木口の開口部より挿着する際に木口の開口部側に溢れて戻り前記種々のソケット外周部とソケット埋め込み用孔間にムラなく充填されることが好ましい。
【００３３】
また、本発明は、柱下部木口面内、柱頭木口面内、並びに梁の木口面内に接着剤にて固着された柱用ソケット、梁用ソケットの木口側には奥行きが小径で開口部側が大径となるテーパー形状の内径を有したジョイント部材嵌合孔が穿設されており、該ジョイント部材嵌合孔にはテーパー嵌合部付きジョイント部材、並びに前記クロスソケットのテーパー嵌合部が嵌合して木材の木口面同士の接合、木材の木口面と他の木材の四方面との接合、並びに木材の木口面と土台コラムとの接合がおこなわれることが好ましい。
【００３４】
更にまた、本発明は、基礎部に固着され土台コラムはスチールまたはステンレス・スチール等からなり該素材の肉厚のパイプを切断して構成され、該切断されたパイプの小口部より前記基礎部に植設されたアンカーボルトへの固着、並びに柱用ジョイント部材の螺着による固定が可能なことが好ましい。
【実施例１】
【００３５】
図１乃至図４は本発明の実施例１を説明するもので、図１は、本発明の使用部位を説明する斜視説明図、図２は、実施例１における木軸構造組立説明図、図３は、実施例１における土台コラムと柱の接合状態を説明する拡大要部断面図、図４は、柱と柱の接合状態並びに柱と梁の接合状態を説明する拡大要部断面図である。
【００３６】
図１において、１は布基礎、２は布基礎１に上に載置された土台、３は土台２を任意位置で切欠して柱４を立設するために設置した土台コラムであり、該土台コラム３はスチールまたはステンレスの肉厚パイプを任意寸法で切断して製作されている。そして土台コラム３上にジョイント部材を介して柱４は立設されるものであり、該柱４は図１において一階柱４aと二階柱４ｂに分けられている。
【００３７】
また、５a、５ｂ、６a、６ｂは、梁であり、該梁５a、５ｂは一階柱４aの頭部に接合されている。また、想像線にて示した梁６a、６ｂは必要に応じて前記梁５a、５ｂとクロスして設けられる梁材であり、本願発明における木軸材の接手構造に於いても図１の如くクロス形状に梁５a、５ｂ、６a、６ｂを設置することができる。
【００３８】
そして前記梁５a、５ｂ、６a、６ｂを接合した一階柱４aの上部には二階柱４ｂがジョイント部材７にて接合される木軸構造の一例を示しており、前記木軸構造の接合部に本発明は、有効に使用されるものである。
【００３９】
斯くして図２は、図１において説明した木軸構造を組み立てるに際し、本願発明の構成部材を配置した木軸構造組立説明図であり、図３は土台コラムと柱の接合状態を説明する拡大要部断面図、図４は、柱と梁、柱と柱の接合状態を説明する要部拡大断面図である。
【００４０】
図２乃至図４において、１は布基礎、２は土台、３は土台コラム、４aは一階柱、４ｂは二階柱、５a、５ｂは梁を示している。
前記布基礎１には、アンカーボルト８にて、スチールまたはステンレス・スチール等の肉厚パイプからなる土台コラム３が固着されており、該土台コラム３上部にはテーパー嵌合部９を有するテーパー嵌合部付きジョイント部材１０が螺着、締結される取付孔１１が穿設されており、前記テーパー嵌合部付きジョイント部材１０はネジ部１２を介して土台コラム３にナット１３にて固着され、土台コラム３上にテーパー嵌合部９が突設されている。
【００４１】
一方、１階柱４aの柱下部には、工場においてテーパー形状の内径を有するソケット埋め込み用孔１４が穿設され、該ソケット埋め込み用孔１４には、柱用ソケット１５が接着剤１６を用いて固着され、該柱用ソケット１５は、更にドリフトピン１７が打設され、前記一階柱４aの柱下部木口面内に設置されて現場に搬入される。
【００４２】
而して、本発明おいては、土台コラム３に一階柱４aを立設するには、図３の如く、土台２を切欠して略同形状の土台コラム３をアンカーボルト８で布基礎１に固設し、該土台コラム３にテーパー嵌合部付きジョイント部材１０を螺着固定してそのテーパー嵌合部９を上部に突設し、前記立設する一階柱４aの下部木口面にテーパー形状の内径を有するソケット埋め込み用孔１４を穿設して柱用ソケット１５を接着剤１６とドリフトピン１７にて固着される。
【００４３】
そして、現場において、前記土台コラム３に設けられたテーパー嵌合部付きジョイント部材１０のテーパー嵌合部９を、柱用ソケット１５のジョイント部材嵌合孔１８に挿着して、該柱用ソケット１５の端部縁部２１を鍔部２０に接合し、前記ジョイント部材１０をドリフトピン１９にて柱用ソケット１５に固定することで、土台コラム３と一階柱４a間が、前記テーパー嵌合部付きジョイント部材１０の鍔部２０と柱用ソケット１５の端部縁部２１を介して剛接合して固着される。
【００４４】
尚、本願発明においては、木軸構造組立に際して、ネジ部１２の締着されるナット１３を仮組立の如く緩めに締めておき、該隙間にクサビ等を噛まし、その状態において一階柱４aは、土台２に対して約１５度ほど傾けることが可能で、該一階柱４aの傾きは、梁等の組立に対して非常に効率的な組立易さを提供する。
【００４５】
次に本発明は、前記一階柱４a頭部において、梁５a、５ｂ、梁６a、６ｂを接合する場合を説明する。図２並びに図４において、梁５a、５ｂの木口面には、工場にてテーパー形状の内径を有するソケット埋め込み用孔１４がそれぞれ穿設され、該ソケット埋め込み用孔１４には、梁用ソケット２２a、２２ｂが接着剤１６を用いて固着され、該梁用ソケット２２a、２２ｂは、更にドリフトピン１７、１７、１７・・・がそれぞれ打設され、前記一階柱４aの柱頭部木口面内に固着されて現場に搬入される。
【００４６】
また、前記一階柱４a頭部木口面にはクロスソケット２３がテーパー形状の内径を有するソケット埋め込み用孔１４に接着剤１６を介して固着されており、該クロスソケット２３は一階柱４a頭部に穿設された横穴２４a、２４ｂを貫通して梁用ジョイント部材２５a、２５ｂの雄ネジ部２６a、２６ｂが螺着され、該梁用ジョイント部材の他端、即ち、テーパー嵌合部２７a、２７ｂがそれぞれ前記梁用ソケット２２a、２２ｂのジョイント部材嵌合孔２８a、２８ｂに挿着されている。
【００４７】
前記梁用ソケット２２a、２２ｂの端部縁部２１は、鍔部２０にそれぞれ接合し、前記梁用ジョイント部材２５a、２５ｂをドリフトピン１９にてそれぞれ梁用ソケット２２a、２２ｂに固定することで、梁５a、５ｂと一階柱４aの柱頭間が接合され、該接合部は鍔部２０と梁用ソケット２２a、２２ｂの端部縁部２１を介して剛接合して固着される。
【００４８】
尚、２９a、２９ｂは、クロスソケット２３に穿たれた横孔で、該横穴２９a、２９ｂには、必要に応じて前記梁用ジョイント部材２５a、２５ｂの雄ネジ部２６a、２６ｂが螺着され、梁５a、５ｂに対してクロスした形状で、梁６a、６ｂが接合される。
【００４９】
斯くして、本発明における一階柱４aと二階柱４ｂとの接合は、前記一階柱４aの柱頭木口面内に固着されたクロスソケット２３が上部にテーパー嵌合部３０を有しており、該テーパー嵌合部３０に二階柱４ｂ下部の木口面内に固着された柱用ソケット１５のジョイント部材嵌合孔１８に挿着して、該柱用ソケット１５の端部縁部２１を鍔部２０に接合し、前記ジョイント部材１０をドリフトピン１９にて柱用ソケット１５に固定することで、一階柱４aの柱頭と二階柱４ｂの下部が接合され、該接合部はクロスソケット２３の端部縁部３１と柱用ソケット１５の端部縁部２１が接合して固着される。
【００５０】
尚、本願発明においては、一階柱４aの柱頭と二階柱４ｂの下部が接合際して、テーパー嵌合部３０をテーパー内径を有するジョイント部材嵌合孔１８に挿着するために、該挿着の過程で該一階柱４aの柱頭と二階柱４ｂ間の隙間にクサビ等を噛まし、その状態において二階柱４ｂは、一階柱４aに対して約１５度ほど傾けることが可能で、該二階柱４ｂの傾きは、上部梁等の組立に対して非常に効率的な組立易さを提供する。
【００５１】
また、柱用ソケット１５や梁用ソケット２２a、２２ｂの木口側に穿設されたジョイント部材嵌合孔１８にジョイント部材９、２５a、２５ｂやクロスソケットのテーパー嵌合部３０を挿着する際には、テーパー嵌合部の先端部が細くなったテーパー先端部を有するテーパー嵌合部が現場での嵌合作業を容易にして、組立作業を効率良くおこなえる。
【００５２】
斯くして、本発明は、木材の木口面同士の接合、木材の木口面と他の木材の四方面との接合、並びに木材の木口面と土台との接合面において、前記木材の木口面にソケット埋め込み用孔１４を穿設し、また木材の四方面に横孔２４a、２４ｂ、２９a、２９ｂを穿設して木材同士の接合部を構成し、該ソケット埋め込み用孔１４や横孔２４a、２４ｂ、２９a、２９ｂに柱用ソケット１５、梁用ソケット２２a、２２ｂ、或いはクロスソケット２３を埋め込んで接着剤１６，並びにドリフトピン１９にて固着して接手受け部を構成し、該接手受け部となる柱用ソケット１５、梁用ソケット２２a、２２ｂにはテーパー嵌合部付きジョイント部材１０、並びに前記クロスソケット２３のテーパー嵌合部２７a、２７ｂを介して前記木材の木口面同士の接合、木材の木口面と他の木材の四方面との接合、並びに木材の木口面と土台との接合がなされ、前記接手受け部となる柱用ソケット１５、梁用ソケット２２a、２２ｂ、或いはクロスソケット２３の端部縁部２１、３１にはそれぞれジョイント接合面を形成し、該ジョイント接合面はジョイント接合面同士やテーパー嵌合部付きジョイント部材１０の鍔部２０が介在して木材同士が剛接合されるよう構成した。
【００５３】
また、本発明は、木材の木口面同士の接合、木材の木口面と他の木材の四方面との接合、並びに木材の木口面と土台との接合面において、前記木材の木口面にソケット埋め込み用孔１４を穿設し、また木材の四方面に横孔２４a、２４ｂ、２９a、２９ｂを穿設して木材同士の接合部を構成し、該ソケット埋め込み用孔１４や横孔２４a、２４ｂ、２９a、２９ｂに柱用ソケット１５、梁用ソケット２２a、２２ｂ、或いはクロスソケット２３を埋め込んで接着剤１６，並びにドリフトピン１９にて固着して接手受け部を構成し、該接手受け部となる柱用ソケット１５、梁用ソケット２２a、２２ｂにはテーパー嵌合部付きジョイント部材１０、並びに前記クロスソケット２３のテーパー嵌合部２７a、２７ｂを介して前記木材の木口面同士の接合、木材の木口面と他の木材の四方面との接合、並びに木材の木口面と土台との接合がなされ、前記接手受け部となる柱用ソケット１５、梁用ソケット２２a、２２ｂ、或いはクロスソケット２３の端部縁部２１、３１にはそれぞれジョイント接合面を形成し、該ジョイント接合面はジョイント接合面同士やテーパー嵌合部付きジョイント部材１０の鍔部２０が介在して木材同士が剛接合されるよう構成し、前記木材同士の接合部や木材と土台との接合部における木材のめり込みを防止することを木軸材の接合方法を提供した。
【００５４】
また、本発明において、外径がテーパー形状を有した頭切円錐形の柱用ソケット１５は、外部から直交する複数本のドリフトピン１７を貫通して挿着できる挿着孔をクロスして設けており、また一端部はテーパー嵌合部付きジョイント部材１０、並びにクロスソケット２３のテーパー嵌合部９のジョイント部材嵌合孔２８a、２８ｂと端部縁部２１にジョイント接合面を形成され、該柱用ソケット１５と同様に外径がテーパー形状を有した頭切円錐形の梁用ソケット２２a、２２ｂは外部から直交する複数本のドリフトピン１７を貫通して挿着できる挿着孔をクロスして設けており、また一端部はテーパー嵌合部付きジョイント部材１０のテーパー嵌合部２７a、２７ｂのジョイント部材嵌合孔２８a、２８ｂと端部縁部３１にジョイント接合面を形成され、前記柱用ソケット１５，並びに梁用ソケット２２a、２２ｂは柱４や梁５a、５ｂの小口面において該柱４や梁５a、５ｂの木口面から長手方向に穿たれたテーパー形状の内径を有するソケット埋め込み用孔１４内に前記端部縁部２１、３１のジョイント接合面を露出させた状態で埋め込まれて接着剤１６とドリフトピン１９にて固着され、前記柱４や梁５a、５ｂの木口面をそれぞれ接合する際には柱用ソケット１５や梁用ソケット２２a、２２ｂ間に前記テーパー嵌合部付きジョイント部材１０、並びにクロスソケット２３を介在せしめ前記柱と柱、梁と柱の接合がなされるように構成した。
【００５５】
また、本発明は、土台２に柱４aを立設するに際し土台２を切欠して略同形状の土台コラム３をアンカーボルト８で布基礎１に固設し、
該土台コラム３にテーパー嵌合部付きジョイント部材１０を螺着固定してそのテーパー嵌合部９を上部に突設し、前記立設する柱４aの下部木口面にテーパー形状の内径を有するソケット埋め込み用孔１４を穿設して柱用ソケット１５を接着剤１６とドリフトピン１７にて固着し、前記布基礎１に固着され土台コラム３に設けられたテーパー嵌合部付きジョイント部材１０のテーパー嵌合部９に柱用ソケット１５挿着して接合し、該ジョイント部材１０をドリフトピン１９にて柱用ソケット１５に固定して土台コラム３と柱４a間が固着されるように構成した。
【００５６】
また、本発明は、外径がテーパー形状を有した頭切円錐形の柱用ソケット１５を柱４ｂ下部の木口面にテーパー内径形状を有したソケット埋め込み用孔１４を穿設して埋め込み、該柱用ソケット１５を接着剤１６とドリフトピン１７にて柱の木口面内に固着し、同様に接続する柱頭部は木口面から該柱４aの長手方向にテーパー内径形状を有したクロスソケット埋め込み孔１４を穿設して柱４aにクロスソケット２３を埋め込み、該クロスソケット２３を接着剤１６にて柱頭の木口面内に固着してクロスソケット２３のテーパー嵌合部３０を柱頭より突設して設け、前記柱４ｂ下部に固着された柱用ソケット１５と柱４aの木口面に突設されたクロスソケット２３のテーパー嵌合部３０を接合し、該クロスソケット２３の先端部をドリフトピン１９にて柱４ｂ下部の柱用ソケット１５に固定し柱４aと柱４ｂ間が固着されるように構成した。
【００５７】
また、本発明は、両端の外径がテーパー形状を有したクロスソケット２３を柱４aの木口面から長手方向にテーパー内径形状を有したソケット埋め込み用孔１４を穿設して埋め込み、該クロスソケット２３を接着剤１６で柱４a頭の木口面内に固着し、同様に接続する梁５a、５ｂの木口面から該梁５a、５ｂの長手方向にソケット埋め込み用孔１４を穿設して梁５a、５ｂに梁用ソケット２２a、２２ｂを埋め込んで接着剤１６とドリフトピン１７にて固着し、前記柱４aの木口面に固着されたクロスソケット２３には直交するテーパー嵌合部付きジョイント部材２５a、２５ｂの一端部の雄ネジ部２６a、２６ｂが螺着され、前記柱４a頭に直交する梁５a、５ｂの木口面内に固着された梁用ソケット２２a、２２ｂはテーパー嵌合部付きジョイント部材のテーパー嵌合部２７a、２７ｂが嵌合されドリフトピン１９にて固定して梁５a、５ｂと柱４aが固着されるように構成した。
【００５８】
また、本発明は、柱４の下部木口面内、柱４の頭木口面内、並びに梁５a、５ｂの木口面内に穿設される柱用ソケット１５、梁用ソケット２２a、２２ｂ、並びにクロスソケット２３のソケット埋め込み用孔１４は奥行きが小径で開口部側が大径となるテーパー形状の内径を有し、該ソケットの挿着時に用いられる接着剤１６は前記柱用ソケット１５、梁用ソケット２２a、２２ｂ、並びにクロスソケット２３を木口の開口部より挿着する際に木口の開口部側に溢れて戻り前記種々のソケット外周部とソケット埋め込み用孔１４間にムラなく充填されるように構成した。
【００５９】
また、本発明は、柱４下部木口面内、柱４頭木口面内、並びに梁５a、５ｂの木口面内に接着剤１６にて固着された柱用ソケット１５、梁用ソケット５a、５ｂの木口側には奥行きが小径で開口部側が大径となるテーパー形状の内径を有したジョイント部材嵌合孔１４が穿設されており、該ジョイント部材嵌合孔１４にはテーパー嵌合部付きジョイント部材１０、並びに前記クロスソケット２３のテーパー嵌合部３０が嵌合して木材の木口面同士の接合、木材の木口面と他の木材の四方面との接合、並びに木材の木口面と土台コラム３との接合がなされるように構成した。
【００６０】
また、本発明は、布基礎１に固着され土台コラム３はスチールまたはステンレス・スチール等からなり該素材の肉厚のパイプを切断して構成され、該切断されたパイプの小口部より前記布基礎１に植設されたアンカーボルト８への固着、並びに柱用ジョイント部材１５の螺着による固定が可能に構成した。
【産業上の利用可能性】
【００６１】
斯くして、本発明は、木造建築におけるの接合部構造、即ち、柱と柱、柱と梁、梁と梁、土台と柱等の接合部において、木材のめりこみや割裂するの防止した接手と接合方法を提供でき、該接手、並びに接合方法は、木造の軸組でラーメン構造形式の軸組を簡単且つ、容易に構築できるようにした木軸材の接手、並びに木軸材の接合方法を提供することができるもので、その産業上の利用価値は多大なものがある。
【図面の簡単な説明】
【００６２】
【図１】本発明の実施部位を説明する斜視説明図である。
【図２】実施例１における木軸構造組立説明図である。
【図３】実施例１における土台と柱の接合状態を説明する拡大要部断面図であ          る。
【図４】実施例１における柱と梁並びに柱と柱の接合状態を説明する拡大要部          断面図である。
【符号の説明】
【００６３】
１  布基礎
２  土台
３  土台コラム
４  柱
４a  一階柱
４b  二階柱
５a、５ｂ  梁
６a、６ｂ  梁
７  ジョイント部材
８  アンカーボルト
９  テーパー嵌合部
１０  テーパー嵌合部付きジョイント部材
１１  取付孔
１２  ネジ部
１３  ナット
１４  ソケット埋め込み用孔
１５  柱用ソケット
１６  接着剤
１７  ドリフトピン
１８  ジョイント部材嵌合部
１９  ドリフトピン
２０  鍔部
２１  端部縁部
２２a、２２ｂ  梁用ソケット
２３  クロスソケット
２４a、２４ｂ  横穴
２５a、２５ｂ  梁用ジョイント部材
２６a、２６ｂ  雄ネジ部
２７a、２７ｂ  テーパー嵌合部
２８a、２８ｂ  ジョイント部材嵌合孔
２９a、２９ｂ  横穴
３０  テーパー嵌合部
３１  クロスソケットの端部縁部
【図１】
2007077638.tif 000003
【図２】
2007077638.tif 000004
【図３】
2007077638.tif 000005
【図４】
2007077638.tif 000006